(57)【要約】【課題】光漏れを抑えるとともに、耐久性および照明範囲の低下を抑えることができるシーソーボタンを提供する。【解決手段】シーソーボタン１のベース３の内部には、左右一対の凹部３１、３１と仕切壁３２とが設けられている。双方の凹部３１、３１には、操作ノブ２の仕切壁２２の左右側部２２２、２２２が配置されている。双方の凹部３１、３１は、操作ノブ２の仕切壁２２を前後に揺動可能に支持している。双方の凹部３１、３１の前後面３１ａ、３１ｂは、操作ノブ２がベース３を被覆している状態が維持される範囲で、操作ノブ２の仕切壁２２の左右側部２２２、２２２を面接させて仕切壁２２の揺動範囲を規制している。仕切壁３２は、操作ノブ２の仕切壁２２が双方の凹部３１、３１に前後に揺動可能に支持された状態で、その上端が、操作ノブ２の仕切壁２２の下端と密接している。【選択図】図５
2009099428.tif 000002
【特許請求の範囲】
【請求項１】
上下面が開口した筒状のベースに、下面が開口した箱状の操作ノブを被せて構成されるシーソーボタンであって、
前記操作ノブの上壁の裏面側には、当該操作ノブの内部空間を前後二つに分ける仕切壁が設けられ、前記上壁の表面側には、前記仕切壁で分けられる前後部の各々に操作内容を示すための表示部が設けられ、各表示部は、その下方に設置される光源の照明光を透過するように構成され、
前記ベースの内部には、
左右の内側面の上側部分に相対向して設けられ、前記操作ノブの仕切壁の左右側部を配置させて当該仕切壁を前後に揺動可能に支持する一対の凹部と、
前記一対の凹部の底面から下側部分にかけて当該ベースの内部空間を前後二つに分けるように設けられ、前記一対の凹部に前記操作ノブの仕切壁が前後に揺動可能に支持された状態で、上端が当該操作ノブの仕切壁の下端と密接するように構成された仕切壁とを備え、
前記一対の凹部は、双方の前後面に、前記操作ノブが前記ベースを被覆している状態が維持される範囲で前記操作ノブの仕切壁の左右側部を当接させて当該仕切壁の揺動範囲を規制するように構成されていることを特徴とするシーソーボタン。
【請求項２】
前記一対の凹部は、双方の前後面を、傾斜した前記操作ノブの仕切壁の左右側部に面接するように逆ハ字状に形成したことを特徴とする請求項１に記載のシーソーボタン。
【請求項３】
前記操作ノブの仕切壁の下端または前記ベースの仕切壁の上端の少なくとも一方を丸く形成したことを特徴とする請求項１または請求項２に記載のシーソボタン。
【請求項４】
前記操作ノブの仕切壁の下端または前記ベースの仕切壁の上端の一方を丸く形成し、他方を前記一方に密接するように上方または下方へ凹んだ断面円弧状に形成したことを特徴とする請求項３に記載のシーソボタン。
【発明の詳細な説明】
【技術分野】
【０００１】
本件発明は、例えば、車両のオーディオシステムやナビゲーションシステム等を操作する際に使用されるシーソーボタンに関する。
【背景技術】
【０００２】
従来、車両には、オーディオシステムやナビゲーションシステム等を操作するためにコントロールユニットが設けられている。このコントロールユニットの前面には、複数の操作ボタンが配置されている。この操作ボタンとしては、例えば、図８に示すようなシーソーボタン１０１が使用されている。このシーソーボタン１０１は、操作ノブ１０２と、ベース１０３とを備えている。
【０００３】
操作ノブ１０２は、下面が開口した箱状に形成されている。操作ノブ１０２の上壁１２１の裏面側には、一対の仕切壁１２２、１２２が前後に並んで設けられている。上壁１２１の表面側には、一対の仕切壁１２２、１２２で分けられる前後部の各々に透光性の表示部１２３、１２４が設けられている。各表示部１２３、１２４は、操作内容を示すものである。また、操作ノブ１０２の周壁の前後部１２５、１２６の各々の下端には、押しピン１２７、１２８が設けられている。各押しピン１２７、１２８の下方にはスイッチ（図示せず）が配置されている。
【０００４】
一方、ベース１０３は、操作ノブ１０２が被せられるように、上下面が開口した筒状に形成されている。ベース１０３の内部には、仕切壁１３１が設けられている。この仕切壁１３１は、操作ノブ１０２が前後に揺動するように、操作ノブ１０２の一対の仕切壁１２２、１２２の間に配置されている。ベース１０３の外側には前後にストッパー１３２が設けられている。このストッパー１３２は、操作ノブ１０２の揺動範囲を規制するものである。
【０００５】
また、シーソーボタン１０１の内部には遮光壁が形成されている。この遮光壁は、ベース１０３の仕切壁１３１と、操作ノブ１０２の一対の仕切壁１２２、１２２とにより形成されている。さらに、シーソーボタン１０１の内部には、遮光壁によって前後に二つの内部空間１０１Ｓ、１０１Ｓが形成されている。各内部空間１０１Ｓの下方には、ＬＥＤ等の光源Ｌａ、Ｌｂが設置されている。各光源Ｌａ、Ｌｂから照明光Ｌ１、Ｌ２が発せられると、照明光Ｌ１、Ｌ２は、各内部空間１０１Ｓを通って各表示部１２３、１２４を抜ける。これにより、各表示部１２３、１２４は照らされる。したがって、乗員は、夜間時でも表示部１２３、１２４を認識することが可能になっている。
【０００６】
次に、シーソーボタン１０１の使用方法について説明する。乗員は、操作ノブ１０２の前部を押すと、操作ノブ１０２が前方へ傾いて前側の押しピン１２７がスイッチを押す。このスイッチの操作に基づいて、オーディオシステムやナビゲーションシステム等は所定の動作を行う。また、乗員は、操作ノブ１０２の後部を押すと、操作ノブ１０２が後方へ傾いて後側の押しピン１２８が別のスイッチを押す。このスイッチの操作に基づいて、オーディオシステムやナビゲーションシステム等は所定の動作を行う。
【０００７】
しかしながら、このようなシーソーボタン１０１においては、操作ノブ１０２の二つの仕切壁１２２、１２２とベース１０３の仕切壁１３１との間に隙間が生じている。このため、各照明光Ｌ１、Ｌ２がこの隙間を通って隣の空間１０１Ｓに漏れてしまう。また、操作ノブ１０２には仕切壁１２２が二つあることから、表示部１２３、１２４の大きさ（操作ノブ１０２の照明範囲）を十分に確保するために、ストッパー１３２、１３３をベース１０３の外側に設けざるをえなかった。また、ストッパー１３２、１３３の大きさによっては、操作ノブ１０２とベース１０３との間が開いてしまい、照明光Ｌ１、Ｌ２が外部に漏れてしまうことがあった。そこで、これらの問題を解決するために、特許文献１（実公平７−１６２６５号公報）に記載されているようなシーソーボタンがある（第１図参照）。
【０００８】
特許文献１に記載されているシーソーボタンは、操作ノブ７が、ベース１の所定部分を被覆した状態で可動体５に圧接されて支持されている。そのため、乗員が操作ノブ７を操作しても、照明光が隣の空間や外部に漏れるおそれがない。さらに、可動体５の付勢力により操作ノブ７の揺動が規制されるので、ストッパーを設ける必要がない。したがって、表示部９の大きさを十分に確保することが可能になる。
【０００９】
しかしながら、特許文献１に記載されているシーソーボタンは、操作ノブ７がベース１の可動体５に圧接されていることから、操作ノブ７を長期間使用すると、操作ノブ７自体や、操作ノブ７に結合しているロッド１５（押しピン）に撓みが生じる。そのため、このシーソーボタンは、耐久性が良くなかった。そこで、この問題を解決するために、特許文献２（特許第３７６５６８３号公報）に記載されているようなシーソーボタンがある（図１参照）。
【００１０】
特許文献２に記載されているシーソーボタンは、つまみ４（操作ノブ）が、ケース１ａ（仕切壁）に軸支されている。したがって、つまみ４を長期間操作しても、つまみ４に撓みが生じにくいので、耐久性が低下することがない。
【特許文献１】実公平７−１６２６５号公報
【特許文献２】特許第３７６５６８３号公報
【発明の開示】
【発明が解決しようとする課題】
【００１１】
しかしながら、特許文献２に記載されているシーソーボタンは、つまみ４が揺動するときに、つまみ４の下部に結合している操作部材１ｂを上ケース１ｄの前後面に当接させることにより、つまみ４の揺動範囲を規制している。そのため、上ケース１ｄは、操作部材１ｂを当接しやすくするために前後に長く形成しなければならない。したがって、照明光が通る内部空間の広さが狭められてしまうので、つまみ４の照明範囲が狭まってしまう。
【００１２】
本件発明は、かかる従来の課題に鑑みてなされたものであり、光漏れを抑えるとともに、耐久性および照明範囲の低下を抑えることができるシーソーボタンを提供することを目的とする。
【課題を解決するための手段】
【００１３】
前記課題を解決するために本件発明の請求項１に記載のシーソーボタンにおいては、上下面が開口した筒状のベースに、下面が開口した箱状の操作ノブを被せて構成されるシーソーボタンであって、前記操作ノブの上壁の裏面側には、当該操作ノブの内部空間を前後二つに分ける仕切壁が設けられ、前記上壁の表面側には、前記仕切壁で分けられる前後部の各々に操作内容を示すための表示部が設けられ、各表示部は、その下方に設置される光源の照明光を透過するように構成され、前記ベースの内部には、左右の内側面の上側部分に相対向して設けられ、前記操作ノブの仕切壁の左右側部を配置させて当該仕切壁を前後に揺動可能に支持する一対の凹部と、前記一対の凹部の底面から下側部分にかけて当該ベースの内部空間を前後二つに分けるように設けられ、前記一対の凹部に前記操作ノブの仕切壁が前後に揺動可能に支持された状態で、上端が当該操作ノブの仕切壁の下端と密接するように構成された仕切壁とを備え、前記一対の凹部は、双方の前後面に、前記操作ノブが前記ベースを被覆している状態が維持される範囲で前記操作ノブの仕切壁の左右側部を当接させて当該仕切壁の揺動範囲を規制するように構成されていることを特徴としている。
【００１４】
かかる構成において、請求項１に記載のシーソーボタンは、操作ノブの仕切壁が前後に揺動しても、操作ノブの仕切壁とベースの仕切壁との間に隙間が生じないので、照明光が隣の内部空間に漏れてしまうことがない。さらに、操作ノブとベースとの間も開かないので照明光が外部に漏れてしまうことがない。また、操作ノブの仕切壁は、ベースの双方の凹部に揺動可能に支持されているので、乗員が操作ノブを押しても操作ノブが撓むことはない。さらに、操作ノブの仕切壁の左右側部が双方の凹部の前後面に当接するため、従来のようにベースの仕切壁を前後に長く形成する必要がない。
【００１５】
また、本件発明の請求項２に記載のシーソーボタンは、請求項１に記載のシーソーボタンにおいて、前記一対の凹部は、双方の前後面を、傾斜した前記操作ノブの仕切壁の左右側部に面接するように逆ハ字状に形成したことを特徴としている。
【００１６】
かかる構成において、請求項２に記載のシーソーボタンは、操作ノブの仕切壁の左右側部と双方の凹部の前後面との接触面積を大きくすることが可能になる。これにより、操作ノブの仕切壁の特定部分に力が加わらないので、仕切壁に撓みがより生じにくくなる。
【００１７】
また、本件発明の請求項３に記載のシーソーボタンは、請求項１または請求項２に記載のシーソーボタンにおいて、前記操作ノブの仕切壁の下端または前記ベースの仕切壁の上端の少なくとも一方を丸く形成したことを特徴としている。
【００１８】
かかる構成において、請求項３に記載のシーソーボタンは、操作ノブの仕切壁がベース上を摺動しながら揺動するため、操作ノブをスムーズに前方または後方へ傾けることが可能になる。
【００１９】
また、本件発明の請求項４に記載のシーソーボタンは、請求項３に記載のシーソーボタンにおいて、前記操作ノブの仕切壁の下端または前記ベースの仕切壁の上端の一方を丸く形成し、他方を前記一方に密接するように上方または下方へ凹んだ断面円弧状に形成したことを特徴としている。
【００２０】
かかる構成において、請求項４に記載のシーソーボタンは、操作ノブの仕切壁とベースの仕切壁との摺接面積が大きくなるので、操作ノブをさらにスムーズに前方または後方へ傾けることが可能になる。
【発明の効果】
【００２１】
本件発明の請求項１に記載のシーソーボタンでは、操作ノブがベースを被覆しながら、操作ノブの仕切壁がベースの仕切壁と密接して揺動するようにした。これにより、双方の仕切壁の間に隙間が生じないので、照明光が隣の内部空間に漏れることがない。また、操作ノブとベースとの間が開いてしまうことがないので照明光が外部に漏れることがない。よって、請求項１に記載のシーソーボタンは、光漏れを抑えることができる。
【００２２】
さらに、本件発明の請求項１に記載のシーソーボタンでは、操作ノブの仕切壁をベースの双方の凹部に揺動可能に支持させた。したがって、乗員が操作ノブを押しても操作ノブが撓むことはない。よって、請求項１に記載のシーソーボタンは、耐久性の低下を抑えることができる。
【００２３】
さらに、本件発明の請求項１に記載のシーソーボタンでは、操作ノブの仕切壁の左右側部が双方の凹部の前後面に当接するようにした。このため、従来のように仕切壁を前後に長く形成する必要がないので、照明光が通る内部空間の広さが狭められてしまうことがない。よって、請求項１に記載のシーソーボタンは、照明範囲の低下を抑えることができる。
【００２４】
また、本件発明の請求項２に記載のシーソーボタンでは、ベースの双方の凹部の前後面を逆ハ字状に形成した。これにより、請求項２に記載のシーソーボタンは、操作ノブの仕切壁の左右側部と双方の凹部の前後面との接触面積を大きくすることが可能になる。これにより、操作ノブの仕切壁の特定部分に力が加わらないので、仕切壁に撓みがより生じにくくなる。よって、請求項２に記載のシーソーボタンは、耐久性を高めることができる。
【００２５】
また、本件発明の請求項３に記載のシーソーボタンでは、操作ノブの仕切壁の下端またはベースの仕切壁の上端の少なくとも一方を丸く形成した。これにより、操作ノブの仕切壁がベース上を摺動しながら揺動するため、操作ノブをスムーズに前方または後方へ傾けることが可能になる。よって、請求項３に記載のシーソーボタンは、操作性を高めることができる。
【００２６】
さらに、本件発明の請求項４に記載のシーソーボタンでは、操作ノブの仕切壁の下端またはベースの仕切壁の上端の一方を丸く形成し、他方を一方に密接するように上方または下方へ凹んだ断面円弧状に形成した。これにより、双方の仕切壁の摺接面積が大きくなるので、操作ノブをさらにスムーズに前方または後方へ傾けることが可能になる。よって、請求項４に記載のシーソーボタンは、操作性をさらに高めることができる。
【発明を実施するための最良の形態】
【００２７】
以下、本件発明の実施の形態を図にしたがって説明する。
【００２８】
図１は、本件発明の一実施の形態を示すシーソーボタン１の斜視図である。このシーソーボタン１は、車両のオーディオシステムやナビゲーションシステム等を操作するコントロールユニット（図示せず）に設けられている。シーソーボタン１は、操作ノブ２と、ベース３とを備えている。なお、図１では、シーソーボタン１の内部構造がわかるように、操作ノブ２の一部を仮想線で示している。
【００２９】
操作ノブ２は、乗員が実際にシーソーボタン１を操作する部分である。操作ノブ２は、合成樹脂によって一体形成されている。この操作ノブ２の形状は、下面が開口した半月型の箱状である。操作ノブ２の上壁２１の裏面側には、仕切壁２２が設けられている。この仕切壁２２は、Ｔ字型の板状に形成されている。図２にも示すように、この仕切壁２２は、操作ノブ２の内部空間２Ｓを、前後二つの内部空間２Ｓａ、２Ｓｂに分けるものである。図３にも示すように、仕切壁２２の下端部には、回転軸２２１が一体に形成されている。この回転軸２２１は左右に延在している。また、この回転軸２２１によって、仕切壁２２の下端２２ａは丸く形成されている。
【００３０】
また、図１や図３に示すように、操作ノブ２の上壁２１の表面側には、二つの表示部２３、２４が設けられている。具体的には、二つの表示部２３、２４は、上壁２１の前部２１ａと後部２１ｂとに設けられている。なお、前部２１ａと後部２１ｂは、上壁２１を仕切壁２２で分けられることによって形成される部分である。双方の表示部２３、２４は、操作内容を示すものである。また、双方の表示部２３、２４は透光性を有している。さらに、操作ノブ２の周壁の前後部の下端には押しピン２５、２６が設けられている。各押しピン２５、２６の下方にはスイッチ（図示せず）が配置されている。
【００３１】
一方、図１に示すように、ベース３は、操作ノブ２を前後に揺動可能に支持するものである。このベース３は、操作ノブ２が被せられるように合成樹脂によって一体形成されている。このベース３の形状は、図４に示すように、上下面が開口した略角形の筒状に形成されている。
【００３２】
さらに、図４に示すように、ベース３の内部には、左右一対の凹部３１、３１と仕切壁３２とが設けられている。一対の凹部３１、３１は、ベース３の左右の側壁３０、３０において、前後の中間部の上側部分を側方へ突出させて形成されている。これにより、一対の凹部３１、３１は、ベース３の左右の内側面３ａ、３ａにおいて、前後の中間部の上端から下方にかけて設けられている。また、双方の凹部３１、３１は、略逆三角形状に形成されている。
【００３３】
図５に示すように、双方の凹部３１、３１の内部には、操作ノブ２の仕切壁２２の左右側部２２２、２２２の下部が配置されている。また、双方の凹部３１、３１は、操作ノブ２の仕切壁２２を前後に揺動可能に支持している。これについて、具体的に説明する。図４に示すように、双方の凹部３１、３１の側面３１１、３１１には、軸穴３１２、３１２が設けられている。双方の軸穴３１２、３１２には、図１に示すように、仕切壁２２の回転軸２２１の左右端部が回転可能に支持されている。
【００３４】
また、図５に示すように、双方の凹部３１、３１の前後面３１ａ、３１ｂは、操作ノブ２の仕切壁２２の揺動範囲を規制するものである。具体的には、この前後面３１ａ、３１ｂは、傾斜した仕切壁２２の左右側部２２２、２２２の下部が面接するように逆ハ字状に形成されている。なお、図５では、仕切壁２２の右側部２２２のみを示す。
【００３５】
次に、ベース３の仕切壁３２について説明する。仕切壁３２は、図４に示すように、凹部３１、３１の底面３１３、３１３（右側の底面３１３のみ図示）から下側の内側面３ａ、３ａを結合して設けられている。この仕切壁３２は、図５に示すように、ベース３の内部空間３ｓを前後二つの内部空間３Ｓａ、３Ｓｂに分けるものである。
【００３６】
また、図６に示すように、仕切壁３２は、操作ノブ２の仕切壁２２が双方の凹部３１、３１に前後に揺動可能に支持された状態で、その上端３２ａが操作ノブ２の仕切壁２２の下端２２ａと密接している。具体的には、この上端３２ａは、下方へ凹んだ断面円弧状に形成されている。
【００３７】
また、図５に示すように、シーソーボタン１の内部には、操作ノブ２の仕切壁２２と、ベース３の仕切壁３２とが密接していることにより遮光壁４が形成されている。さらに、この遮光壁４によって、シーソーボタン１の内部には、前後に二つの内部空間１Ｓａ、１Ｓｂが形成されている。前側の内部空間１Ｓａは、操作ノブ２の前側の内部空間２Ｓａと、ベース３の前側の内部空間３Ｓａとから構成されている。後側の内部空間１Ｓｂは、操作ノブ２の後側の内部空間２Ｓｂと、ベース３の後側の内部空間３Ｓｂとから構成されている。さらに、ベース３の内部空間３Ｓａ、３Ｓｂの各々の下方には、ＬＥＤ等の光源Ｌａ、Ｌｂが設置されている。
【００３８】
かかる構成において、図５に示すように、光源Ｌａから照明光Ｌ１が発せられると、照明光Ｌ１は、前側の内部空間１Ｓａを通って操作ノブ２の前側の表示部２３を抜ける。これにより、前側の表示部２３が照らされる。また、光源Ｌｂから照明光Ｌ２が発せられると、照明光Ｌ２は、後側の内部空間１Ｓｂを通って操作ノブ２の後側の表示部２４を抜ける。これにより、後側の表示部２４が照らされる。したがって、乗員は、夜間時でも双方の表示部２３、２４を認識することが可能になる。
【００３９】
次に、シーソーボタン１の操作方法について説明する。乗員は、図７に示すように、操作ノブ２の前部２１ａを押すと、操作ノブ２が前方へ傾いて、仕切壁２２の左右側部２２２、２２２の下部が双方の凹部３１、３１の前面３１ａ、３１ａに面接して止まる。これに伴い、前側の押しピン２５がスイッチを押す。このスイッチの操作に基づいて、オーディオシステムやナビゲーションシステム等は、所定の動作を行う。
【００４０】
また、乗員は、操作ノブ２の後部２１ｂを押すと、操作ノブ２が後方へ傾いて、仕切壁２２の左右側部２２２、２２２が双方の凹部３１、３１の後面３１ｂ、３１ｂに面接して止まる。これに伴い、後側の押しピン２６がスイッチを押す。このスイッチの操作に基づいて、オーディオシステムやナビゲーションシステム等は、所定の動作を行う。
【００４１】
また、本実施の形態のシーソーボタン１では、操作ノブ２の仕切壁２２が前後に揺動しても、操作ノブ２がベース３を被覆している状態が維持される範囲で、ベース３の凹部３１、３１によって揺動が規制されている。このため、従来のシーソーボタンのように、操作ノブ２とベース３との間が開いてしまうことがない。さらに、操作ノブ２の仕切壁２２がベース３の仕切壁３２と密接して揺動することにより、双方の仕切壁２２、３２の間には隙間が生じない。このため、遮光壁４の形成状態が維持される。
【００４２】
したがって、前側の照明光Ｌ１は遮光壁４に遮られるため、この照明光Ｌ１が後側の内部空間１Ｓｂに漏れることがない。さらに、後側の照明光Ｌ２も遮光壁４に遮られるため、この照明光Ｌ２が前側の内部空間１Ｓａに漏れることがない。よって、本実施の形態のシーソーボタン１は、光漏れを抑えることができる。また、その結果、シーソーボタン１は、双方の表示部２３、２４が確実に照らされるので、表示部２３、２４の認識性を高めることができる。
【００４３】
さらに、本実施の形態のシーソーボタン１では、操作ノブ２の仕切壁２２をベース３の双方の凹部３１、３１に揺動可能に支持させている。つまり、このシーソーボタン１では、従来のシーソーボタンのように、操作ノブ２の仕切壁２２がベース３に付勢されて支持されていない。したがって、乗員が操作ノブ２を押しても、操作ノブ２が撓むことはない。よって、本実施の形態のシーソーボタン１は、耐久性の低下を抑えることができる。
【００４４】
なお、本実施の形態のシーソーボタン１では、操作ノブ２の仕切壁２２に回転軸２２１を一体に形成して、双方の凹部３１、３１に軸穴３１２、３１２を設けることで、仕切壁２２が前後に揺動可能に支持されるようにした。しかし、仕切壁の支持構造は、この構造に限定する必要はない。例えば、双方の凹部に突起を設けて、操作ノブの仕切壁に、双方の突起を回転自在に支持する軸穴を設けても良い。
【００４５】
さらに、本実施の形態のシーソーボタン１では、操作ノブ２の仕切壁２２の左右側部２２２を、ベース３の仕切壁３２ではなく、双方の凹部３１、３１の前後面３１ａ、３１ｂに当接させて操作ノブ２の仕切壁２２の揺動範囲を規制している。これにより、ベース３の仕切壁３２は、従来のように前後に長く形成する必要がない。したがって、照明光Ｌ１、Ｌ２が通る内部空間１Ｓａ、１Ｓｂの広さが狭められることがない。よって、本実施の形態のシーソーボタン１は、照明範囲の低下を抑えることができる。また、この結果、シーソーボタン１は、表示部２３、２４の設置の自由度を高めることができる。
【００４６】
また、本実施の形態のシーソーボタン１では、双方の凹部３１、３１の前後面３１ａ、３１ｂを、傾斜した操作ノブ２の仕切壁２の左右側部２２２、２２２に面接するように逆ハ字状に形成した。これにより、シーソーボタン１は、操作ノブ２の仕切壁２２の左右側部２２２、２２２と双方の凹部３１、３１の前後面３１ａ、３１ｂとの接触面積を大きくすることが可能になる。したがって、操作ノブ２の仕切壁２２の特定部分に力が加わらないので、仕切壁２２に撓みがより生じにくくなる。よって、本実施の形態のシーソーボタン１は、耐久性を高めることができる。
【００４７】
また、本実施の形態のシーソーボタン１では、操作ノブ２の仕切壁２２の下端２２ａを丸く形成し、ベース３の仕切壁３２の上端３２ａを、この下端２２ａに密接するように形成した。これにより、シーソーボタン１は、操作ノブ２の仕切壁２２がベース３上を摺動しながら揺動するため、操作ノブ２をスムーズに前方または後方へ傾けることが可能になる。よって、本実施の形態のシーソーボタン１は、操作性を高めることができる。
【００４８】
さらに、本実施の形態のシーソーボタン１では、ベース３の仕切壁３２の上端３２ａを下方へ凹んだ断面円弧状に形成した。これにより、シーソーボタン１は、操作ノブ２の仕切壁２２とベース３の仕切壁３２との摺接面積が大きくなるので、操作ノブ２をさらにスムーズに前方または後方へ傾けることが可能になる。よって、本実施の形態のシーソーボタン１は、操作性をさらに高めることができる。
【００４９】
なお、図示しないが、その他のシーソーボタンとしては、操作ノブの仕切壁の下端を上方へ凹んだ断面円弧状に形成し、これに対応してベースの仕切壁の上端を丸く形成したものが挙げられる。この場合のシーソーボタンでも、操作ノブの仕切壁とベースの仕切壁との摺接面積が大きくなるので、操作性を高めることができる。また、操作ノブの仕切壁の下端やベースの仕切壁の上端を断面円弧状に形成しなくても、少なくとも一方を丸く形成したシーソーボタンであれば、操作ノブの仕切壁がベース上を摺動しながら揺動するので操作性を高めることができる。
【００５０】
以上、本件発明にかかる実施の形態を例示したが、これらの実施の形態は本件発明の内容を限定するものではない。また、本件発明の請求項の範囲を逸脱しない範囲であれば、各種の変更等は可能である。
【産業上の利用可能性】
【００５１】
以上説明したように本件発明のシーソーボタンにおいては、光漏れを抑えるとともに、耐久性および照明範囲の低下を抑えることができる。したがって、本件発明のシーソーボタンを、シーソーボタンの技術分野で十分に利用することができる。
【図面の簡単な説明】
【００５２】
【図１】本件発明の一実施の形態を示すシーソーボタンの斜視図である。
【図２】同実施の形態を示す操作ノブの左側面図である。
【図３】同実施の形態を示す操作ノブの斜視図である。
【図４】同実施の形態を示すベースの斜視図である。
【図５】同実施の形態を示すシーソーボタンの縦断面図である。
【図６】図５のＡ部の拡大図である。
【図７】同実施の形態を示すシーソーボタンを前方へ傾けた状態を示す縦断面図である。
【図８】従来のシーソーボタンの左半分を切り欠いた状態の縦断面図である。
【符号の説明】
【００５３】
１    シーソーボタン
２    操作ノブ
２Ｓ    内部空間
３    ベース
３ａ    内側面
３Ｓ    内部空間
２１    上壁
２１ａ    前部
２１ｂ    後部
２２    仕切壁
２２ａ    下端
２３    表示部
２４    表示部
３１    凹部
３１ａ    前面
３１ｂ    後面
３２    仕切壁
３２ａ    上端
２２１    回転軸
２２２    左右側部
３１１    側面
３１２    軸穴
３１３    底面
Ｌａ    光源
Ｌｂ    光源
Ｌ１    照明光
Ｌ２    照明光
【図１】
2009099428.tif 000003
【図２】
2009099428.tif 000004
【図３】
2009099428.tif 000005
【図４】
2009099428.tif 000006
【図５】
2009099428.tif 000007
【図６】
2009099428.tif 000008
【図７】
2009099428.tif 000009
【図８】
2009099428.tif 000010